(57)【要約】【課題】  可搬型の記録媒体からデータを読み取る読取装置において、データを読み取り可能な記録媒体の種類等を、ユーザが容易に知ることができるようにする。【解決手段】  ディスク型記録媒体３からデータを読み取る読取ユニットと、この読取ユニットにディスク型記録媒体３を挿入するためのディスク挿入口２１、２２を覆うように開閉可能に配設された操作パネル１１と、操作パネル１１に配設された表示パネル１４とを備えたナビゲーション装置１において、パネル開閉スイッチ１３Ａの操作によって操作パネル１１を開くよう指示がなされた場合に、表示パネル１４に表示される画面を、使用可能なディスク型記録媒体３に係る情報を表示する画面に切り換える。【選択図】      図１
2006252592.tif 000002
【特許請求の範囲】
【請求項１】
可搬型の記録媒体を取り込み可能に構成され、前記記録媒体に記録されたデータを読み取る読取ユニットと、画面を表示する表示手段とを備えた記録媒体読取装置において、
前記読取ユニットにおける記録媒体の取り込みまたは排出が指示された場合に、前記表示手段により表示される画面を、前記読取ユニットにおいて使用可能な記録媒体に係る情報を表示する情報表示画面に切り換えさせる制御手段を備えること、
を特徴とする記録媒体読取装置。
【請求項２】
可搬型の記録媒体を取り込み可能に構成され、前記記録媒体に記録されたデータを読み取る読取ユニットと、前記読取ユニットにおいて前記記録媒体を取り込むための取込口を覆うように開閉可能に配設されたパネルと、前記パネルの開閉を指示する指示手段と、画面を表示する表示手段とを備えた記録媒体読取装置において、
前記指示手段によって前記パネルを開くよう指示がなされた場合に、前記表示手段により表示される画面を、前記読取ユニットにおいて使用可能な記録媒体に係る情報を表示する情報表示画面に切り換えさせる制御手段を備えること、
を特徴とする記録媒体読取装置。
【請求項３】
前記表示手段が、前記表示パネルに一体に構成されたものであることを特徴とする請求項２記載の記録媒体読取装置。
【請求項４】
前記情報表示画面には、前記読取ユニットによってデータを読み取ることが可能な前記記録媒体の種類を示す情報、及び、前記データの記録フォーマットを示す情報のうちいずれか１以上が表示されることを特徴とする請求項１から３のいずれかに記載の記録媒体読取装置。
【請求項５】
前記情報表示画面には、前記読取ユニットにおいて既に前記記録媒体が取り込まれているか否かを示す情報が表示されることを特徴とする請求項１から４のいずれかに記載の記録媒体読取装置。
【請求項６】
前記情報表示画面には、前記読取ユニットにおいて既に取り込まれている前記記録媒体の種類を示す情報が表示されること、を特徴とする請求項１から４のいずれかに記載の記録媒体読取装置。
【請求項７】
前記読取ユニットに前記記録媒体が取り込まれた場合に、取り込まれた前記記録媒体の種類を判別し、前記読取ユニットにおいて使用可能な種類の前記記録媒体でない場合にはその旨を報知する報知手段をさらに備えることを特徴とする請求項１から５のいずれかに記載の記録媒体読取装置。
【請求項８】
可搬型の記録媒体を取り込み可能に構成され、前記記録媒体に記録されたデータを読み取る読取ユニットと、車両の経路案内を行うための画面を表示する表示手段とを備えたナビゲーション装置において、
前記読取ユニットにおける記録媒体の取り込みまたは排出が指示された場合に、前記表示手段により表示される画面を、前記読取ユニットにおいて使用可能な記録媒体に係る情報を表示する情報表示画面に切り換えさせる制御手段を備えること、
を特徴とするナビゲーション装置。
【発明の詳細な説明】
【技術分野】
【０００１】
本発明は、可搬型の記録媒体に記録されたデータを読み取る記録媒体読取装置、及び、ナビゲーション装置に関する。
【背景技術】
【０００２】
近年、データを記録する可搬型記録媒体の種類は増加の一途をたどっており、例えば直径１２ｃｍのディスク型記録媒体に限っても、ＣＤ−ＤＡ、ＣＤ−Ｒ、ＣＤ−ＲＷ、ＤＶＤ−ＲＯＭ、ＤＶＤ−ＶＩＤＥＯ等の多様な規格が存在する。このような状況に対応して、記録媒体からデータを読み取る読取装置についても、複数種類の記録媒体に対応したものが多く利用されている。しかしながら、記録媒体の種類が非常に多いため、必ずしも全ての読取装置が全種類の記録媒体に対応しているとは限らない。仮に、記録媒体読取装置が対応していない種類の記録媒体を誤って読取装置にセットしてしまった場合、記録媒体読取装置の動作が停止したり、読取装置の故障や記録媒体の破損を招いたりする可能性があった。多くの記録媒体読取装置には、その装置が対応している記録媒体の種類を示すロゴ等が付されているが、サイズが小さく、似通った形状のロゴが多い等、判りやすいものではなかった。このため、ユーザは、自分が使用している読取装置が、どの種類の記録媒体に対応しているかを、予め取扱説明書等で確認する必要があり、非常に面倒であった。また、複数の読取ユニットを備えた読取装置においては、どのユニットがどの種類の記録媒体に対応しているかをユーザが把握していなければならず、ユーザの負担がさらに大きかった。
【０００３】
このような問題を解決するため、従来、複数種類の記録媒体に対応した記録媒体読取装置において、ＬＥＤを用いたインジケータによって、使用中の記録媒体の種類を視認できるようにしたものがあった（例えば、特許文献１参照。）。
【特許文献１】特開２００２−３３４５６９号公報
【発明の開示】
【発明が解決しようとする課題】
【０００４】
しかしながら、上述したように記録媒体の種類は極めて多いので、記録媒体の種類毎にインジケータを設けるには大きなスペースが必要であり、読取装置のサイズやデザイン上の制限から、実現が難しかった。また、小さなスペースに収まるようにインジケータを小さくしてしまうと、視認性が損なわれるという問題があった。
【０００５】
本発明は、上述した事情に鑑みてなされたものであり、可搬型の記録媒体からデータを読み取る読取装置において、データを読み取り可能な記録媒体の種類等を、ユーザが容易に知ることができるようにすることを目的としている。
【課題を解決するための手段】
【０００６】
上記の課題を解決するため、本発明は、可搬型の記録媒体を取り込み可能に構成され、前記記録媒体に記録されたデータを読み取る読取ユニットと、画面を表示する表示手段とを備えた記録媒体読取装置において、前記読取ユニットにおける記録媒体の取り込みまたは排出が指示された場合に、前記表示手段により表示される画面を、前記読取ユニットにおいて使用可能な記録媒体に係る情報を表示する情報表示画面に切り換えさせる制御手段を備えることを特徴としている。
【０００７】
上記の課題を解決するため、本発明は、可搬型の記録媒体を取り込み可能に構成され、前記記録媒体に記録されたデータを読み取る読取ユニットと、前記読取ユニットにおいて前記記録媒体を取り込むための取込口を覆うように開閉可能に配設されたパネルと、前記パネルの開閉を指示する指示手段と、画面を表示する表示手段とを備えた記録媒体読取装置において、前記指示手段によって前記パネルを開くよう指示がなされた場合に、前記表示手段により表示される画面を、前記読取ユニットにおいて使用可能な記録媒体に係る情報を表示する情報表示画面に切り換えさせる制御手段を備えることを特徴としている。
【０００８】
なお、上記発明において、可搬型の記録媒体としては、データを光学的または磁気的に記録する記録媒体、或いは半導体記憶素子を用いた記録媒体等が挙げられ、物理的なデータの記録方法について制限は無く、その形状及びサイズについても任意である。また、読み取り専用の記録媒体であるか、追記型の記録媒体であるか、書き込み及び消去可能な記録媒体であるかを問わない。具体的には、可搬型の記録媒体とは、ＣＤ−ＤＡ（Compact Disc Digital Audio）、ＣＤ−Ｒ（Compact Disc Recordable）、ＣＤ−ＲＷ（Compact Disc ReWritable）、ＤＶＤ−ＲＯＭ(Digital Versatile Disk - Read Only Memory)、ＤＶＤ−ＶＩＤＥＯ、ＤＶＤ−Ｒ（DVD-Recordable）、ＤＶＤ−ＲＷ（DVD-ReWritable）、ＤＶＤ＋Ｒ（DVD Recordable）、ＤＶＤ＋ＲＷ（DVD ReWritable）、ＤＶＤ−ＲＡＭ（DVD-Random Access Memory）等の各種光ディスクや、フラッシュメモリ素子を用いたカード型記録媒体等が例として挙げられる。
また、読取ユニットにおいて記録媒体を取り込む構成については、読取ユニットに設けられた開口部から記録媒体を挿入する構成や、読取ユニットにおいて出入り可能に配設されたトレイに記録媒体を載せて読取ユニット内に搬送する構成等が挙げられるが、自動または手動の動作によって読取ユニット内に記録媒体が到達すればよく、読取ユニット自体が記録媒体を搬送する機構を備えることは必須の要件ではない。
【０００９】
また本発明は、上記発明において、前記表示手段が前記表示パネルに一体に構成されたものであることを特徴とする。
【００１０】
また本発明は、上記発明において、前記情報表示画面には、前記読取ユニットによってデータを読み取ることが可能な前記記録媒体の種類を示す情報、及び、前記データの記録フォーマットを示す情報のうちいずれか１以上が表示されることを特徴とする。
【００１１】
また本発明は、上記発明において、前記情報表示画面には、前記読取ユニットにおいて既に前記記録媒体が取り込まれているか否かを示す情報が表示されることを特徴とする。
【００１２】
また本発明は、上記発明において、前記情報表示画面には、前記読取ユニットにおいて既に取り込まれている前記記録媒体の種類を示す情報が表示されること、を特徴とする。
【００１３】
また本発明は、上記発明において、前記読取ユニットに前記記録媒体が取り込まれた場合に、取り込まれた前記記録媒体の種類を判別し、前記読取ユニットにおいて使用可能な種類の前記記録媒体でない場合にはその旨を報知する報知手段をさらに備えることを特徴とする。
【００１４】
また、本発明は、可搬型の記録媒体を取り込み可能に構成され、前記記録媒体に記録されたデータを読み取る読取ユニットと、車両の経路案内を行うための画面を表示する表示手段とを備えたナビゲーション装置において、前記読取ユニットにおける記録媒体の取り込みまたは排出が指示された場合に、前記表示手段により表示される画面を、前記読取ユニットにおいて使用可能な記録媒体に係る情報を表示する情報表示画面に切り換えさせる制御手段を備えることを特徴としている。
【発明の効果】
【００１５】
本発明によれば、可搬型の記録媒体からデータを読み取る記録ユニットに対し、記録媒体の取り込みまたは排出を行わせようとする操作を行うことにより、その記録ユニットで使用可能な記録媒体の種類等の情報が切り換え表示されるので、ユーザに対して記録媒体に関する情報を明瞭に知らせることが可能である。また、情報表示画面は必要な場合にのみ他の画面と切り換えて表示されるため、専用の表示画面を設ける必要がなく、新たな画面を設けるスペースを必要としない。さらに、既に配設された大型の表示画面等を利用することで良好な視認性を確保できる。
【発明を実施するための最良の形態】
【００１６】
［第１の実施形態］
以下図面を参照して、本発明を適用した実施形態について説明する。
図１は、第１の実施形態に係るナビゲーション装置１の外観構成を示す斜視図である。このナビゲーション装置１は、車両に搭載されて経路案内を行うものであり、図１に示すように、車両のダッシュボード２に設けられた所定の収納スペースに嵌め込まれる装置本体１０と、この装置本体１０の正面に設けられた操作パネル１１とを備えている。操作パネル１１は、枠体としてのフェイスパネル１２と、このフェイスパネル１２上に設けられた複数の操作スイッチ１３と、フェイスパネル１２に嵌め込まれた表示パネル１４とを有している。この表示パネル１４には、現在地点の周辺地図、車両の現在位置、及び、目的地までの経路が表示され、これにより経路案内が行われる。また、操作スイッチ１３のうちパネル開閉スイッチ１３Ａは、次に述べるように操作パネル１１を開く動作を指示するためのスイッチである。
【００１７】
操作パネル１１は、図２に示すように、装置本体１０の正面に設けられた収納部１５に開閉自在に取り付けられている。具体的には、図３に示すように、収納部１５両側の側壁１６の面内に上下に延びるガイド溝１７が形成され、操作パネル１１の上方両端側に設けられた突起１８が上記ガイド溝１７に移動自在に取り付けられると共に、操作パネル１１の下方両端側に押出機構１９が取り付けられている。この押出機構１９は、装置本体１０の正面に向けて突出し操作パネル１１の下端部を押し出すものであり、モータ（図示略）によって突出駆動されるスライドバー２０を有し、このスライドバー２０の先端が操作パネル１１の側面下方に軸ピン２０Ａにより連結され、操作パネル１１を回転自在に支持している。
【００１８】
したがって、押出機構１９による操作パネル１１の下端部の押し出し動作に伴い、突起１８がガイド溝１７に沿って下方側に移動することで、操作パネル１１が傾動し、図２に示すように、操作パネル１１が開かれ、そして、装置本体１０の正面が露出する。これとは逆に、押出機構１９が操作パネル１１の下端部を引き戻し、突起１８がガイド溝１７に沿って上方側に移動することで、図１に示すように操作パネル１１が閉じ、装置本体１０が操作パネル１１に覆われた状態となる。この操作パネル１１の開閉動作、すなわち、上記スライドバー２０を駆動するモータ（図示略）の始動は、操作パネル１１のフェイスパネル１２上に配設された操作スイッチ１３のうち、パネル開閉スイッチ１３Ａ（図１）の押下操作に基づいて行われる。
【００１９】
装置本体１０の正面には、図２に示すように、可搬型のディスク型記録媒体（光ディスク）３が挿入されるディスク挿入口２１、２３や、ディスク挿入口２１、２３からディスク型記録媒体３を排出させるための排出ボタン２２、２４などが設けられている。これらのディスク挿入口２１、２３は、上述の通り、通常時は操作パネル１１により覆われており、パネル開閉スイッチ１３Ａを操作して操作パネル１１を開くことで、ディスク挿入口２１、２３にアクセス可能となる。ディスク挿入口２１、２３は、後述する読取ユニット１３１、１３２（図５）に連通し、これら読取ユニット１３１、１３２により読み取られるディスク型記録媒体３を挿入及び排出する開口部である。
ここで、ディスク型記録媒体３としては、ＣＤ−ＤＡ、ＣＤ−Ｒ、ＣＤ−ＲＷ等の規格に準拠したもの（直径１２ｃｍ又は直径８ｃｍの円盤型のもの、あるいは、直径８ｃｍの円盤型のものと同形状の記録領域を有するカード型のものを含む）や、ＤＶＤ−ＲＯＭ、ＤＶＤ−Ｖｉｄｅｏ、ＤＶＤ−Ｒ、ＤＶＤ＋Ｒ、ＤＶＤ−ＲＷ、ＤＶＤ＋ＲＷ、ＤＶＤ−ＲＡＭ等の規格に準拠したもの等が挙げられる。
【００２０】
次いで、操作パネル１１に設けられた表示パネル１４の構成について詳細する。図４に示すように、表示パネル１４は、液晶駆動回路基板３０と、液晶パネル３１と、液晶パネル３１の表示面３１Ａ全体を覆うように設けられたタッチパネル３２とを有している。タッチパネル３２には、抵抗膜方式のものが用いられ、透明度（可視光線透過度）が高く、液晶パネル３１の表示がタッチパネル３２を通して視認可能になされている。このように、ナビゲーション装置１にあっては、フェイスパネル１２に設けた操作スイッチ１３に加え、タッチパネル３２による操作も可能となっている。なお、表示パネル１４としては、上記液晶パネル３１に代えて、例えば有機ＥＬ（Electro-Luminescence）パネル等を用いることも可能である。
【００２１】
図５は、ナビゲーション装置１の機能的構成を示すブロック図である。この図において、制御部１００は、ナビゲーション装置１の各部を中枢的に制御するものであり、演算・制御手段としてのメインＣＰＵ（Central Processing Unit）１０１と、ＲＯＭ（Read Only Memory）１０２、ＤＲＡＭ（Dynamic Random Access Memory）１０４及びＳＲＡＭ（Static Random Access Memory）１０６を有する記憶部１１０と、タイマカウンタ１１２とを備えている。ＲＯＭ１０２は制御プログラムやデータ等を格納するものである。これらの制御プログラムやデータ等は、ナビゲーション装置１の主電源投入時に、メインＣＰＵ１０１によって読み出されて実行され、これにより各部の制御動作が行われる。ＤＲＡＭ１０４はメインＣＰＵ１０１がＲＯＭ１０２から読み出したプログラムや、演算結果、演算途中のデータ等を一時的に格納するものである。ＳＲＡＭ１０６はナビゲーション装置１の主電源切断時に、ＤＲＡＭ１０４に格納されているデータ等の記憶内容をバックアップするものであり、主電源切断後においても車両のバッテリーから電力が供給され、主電源切断後もバックアップすべき記憶内容を保持可能になされている。タイマカウンタ１１２は時間を計時するものであり、例えば、タッチパネル３２のタッチ操作時のタッチ時間などを計時する。
【００２２】
主記憶部１２０は比較的容量の大きな各種アプリケーションプログラムやデータ等を格納するものであり、例えばハードディスク装置を備えている。主記憶部１２０に格納されるものとしては、例えば経路案内のためのプログラムや、表示パネル１４の表示制御のためのプログラム、経路案内のための地図データ等がある。
【００２３】
記録媒体読取部１３０は、制御部１００の制御の下、読取ユニット１３１、１３２によってディスク型記録媒体３に記録されているデータを読み取らせ、読み取ったデータを制御部１００に出力するものである。読取ユニット１３１、１３２は、収納部１５（図２）内に収容され、それぞれ、ディスク挿入口２１、２２（図２）から挿入されたディスク型記録媒体３を取り込んで、その種類及びデータフォーマットを判別し、記録されたデータを読み取る。なお、記録媒体に地図データを格納し、この記録媒体に記録された地図データを読取ユニット１３１、１３２により読み取って経路案内に用いる構成としても良い。
音出力部１３５は、制御部１００の制御の下、音楽や音声を出力するものであり、ＤＡ変換器や増幅器、スピーカ等を備えている。記録媒体に記録された音楽データの再生にあっては、記録媒体読取部１３０によって読み取られた音楽データが音出力部１３５に出力され、これにより、音楽が再生される。
【００２４】
表示部１４０は、制御部１００の制御の下、地図等の各種情報を表示するものであり、描画回路１４２と、液晶駆動回路１４４とを備え、上述した液晶パネル３１に接続される。描画回路１４２は、地図データ等を含む描画コマンドＤＳＳを制御部１００から受け取り、この描画コマンドＤＳＳに基づいた表示を行うべく液晶駆動回路１４４を制御するものであり、描画プロセッサ１４６とＶＲＡＭ１４８とを備えている。描画プロセッサ１４６は、描画コマンドＤＳＳに基づいて液晶パネル３１に表示すべき描画データ（例えばビットマップ画像データ）を生成するものであり、ＶＲＡＭ（Video RAM）１４８は描画データを保持するものである。液晶駆動回路１４４はＶＲＡＭ１４８に保持されている描画データを順次受け取り、この描画データに基づいて液晶パネル３１の表示面３１Ａに表示するものである。これら描画回路１４２及び液晶駆動回路１４４は、上述した液晶駆動回路基板３０に実装されている。
【００２５】
位置検出部１５０は、ＧＰＳ（Global Positioning System）衛星から送信されているＧＰＳ電波を受信するアンテナ（レシーバでも良い）を備え、ＧＰＳ電波に基づいて、車両の現在地点を示す位置座標と、進行方向とを計算し、位置検出信号ＰＳとして制御部１００に出力するものである。制御部１００は、経路探索時に、位置検出信号ＰＳにより示される現在地点から目的地までの誘導経路を探索して探索結果を表示部１４０に表示し、また、経路案内時には、位置検出信号ＰＳに基づいて現在位置の移動状況を地図と共に表示部１４０に表示して経路案内を行う。
【００２６】
ＦＭ多重受信処理部１６０は、制御部１００の制御の下、ＦＭ多重放送波を受信して、渋滞や事故、交通規制といったＶＩＣＳ情報（道路交通情報）や緊急情報、天気予報（気象情報）といった各種情報を取り出し、制御部１００に出力するものである。また、ビーコン受信処理部１７０は、制御部１００の制御の下、車両走行中の道路に関するＶＩＣＳ情報を受信し、制御部１００に出力するものである。ここで、車両走行中にあっては、ＦＭ多重受信処理部１６０及びビーコン受信処理部１７０は、これらＶＩＣＳ情報や緊急情報、天気予報等の各種情報を文字情報として取得しており、この文字情報が制御部１００に出力され、制御部１００の制御によって、表示部１４０に文字（アイコン等を含む）として表示される。
【００２７】
ＴＶ受信処理部１８０は、制御部１００の制御の下、ＴＶ（テレビジョン）放送波を受信してＴＶ映像及びＴＶ音声を制御部１００に出力するものであり、ＴＶチューナ回路（図示略）を備えている。ＴＶ映像は動画像として液晶パネル３１に表示され、また、ＴＶ音声は音出力部１３５から出力される。
【００２８】
車両情報取得部２００は、車両の走行状態に関する情報を取得するものである。具体的には、車両情報取得部２００は、イルミ情報取得部２０２と、車速パルス取得部２０４と、パーキングブレーキ操作状態取得部２０６とを備えている。イルミ情報取得部２０２は、車両に配設されたイルミ配線の電流（或いは電圧）を検知し、車両のスモールライト（車幅灯）のオン・オフを示すイルミ信号ＩＬＳを制御部１００に出力するものである。車両のスモールライトのオン・オフを検出することで、車両の周囲の明るさを特定することが可能となり、イルミ信号ＩＬＳによって、スモールライトの点灯が示されている場合、制御部１００は、描画回路１４２を制御することで、液晶パネル３１の輝度を高め、液晶パネル３１の表示が見えにくくなるのを防止する。
【００２９】
車速パルス取得部２０２は、車両の走行速度を示す車速パルス信号を車両に搭載されたコンピュータ、或いは、車両に取り付けられたセンサから取得し、制御部１００に車速信号ＣＳＳとして出力するものである。この車速信号ＣＳＳにより車両の停車が特定可能となる。
パーキングブレーキ操作状態取得部２０４は、車両のパーキングブレーキレバー（或いはペダル）の操作状態を取得し、パーキングブレーキがかけられているか否かを示すパーキングブレーキ状態信号ＰＢＳを出力するものである。すなわち、このパーキングブレーキ状態信号ＰＢＳに基づいて車両が駐車中であるか、特に、車両が走行中（一時的な停止状態を含む）であるかが特定される。
【００３０】
操作部１９０は、スイッチ操作部１９２と、タッチパネル操作部１９４とを備えている。スイッチ操作部１９２は、上述した操作スイッチ１３に加え、この操作スイッチ１３の操作を電気信号に変換してスイッチ信号ＳＳを制御部１００に出力するスイッチ回路基板（図示略）を備えている。タッチパネル操作部１９４は、上述したタッチパネル３２に加え、タッチパネル３２の操作を電気信号に変換してタッチ信号ＴＳを制御部１００に出力するタッチパネル回路基板（図示略）を備えている。タッチ信号ＴＳには、タッチパネル３２面上のタッチ操作個所の座標を示す情報が含まれており、これにより、制御部１００が、タッチパネル３２上のタッチ操作個所を識別可能となる。ここで、制御部１００は、走行の安全を図るべく、車速信号ＣＳＳにより車両が停車中でないことが示されている場合には（具体的には、車速が０以上の場合）、操作部１９０からのスイッチ信号ＳＳ及びタッチ信号ＴＳの入力を無効とし、車両が停車していないときの各種の操作を禁止している。また、制御部１００は、パーキングブレーキ状態信号ＰＢＳにより車両が駐車中でないことが示されている場合、運転者がＴＶ映像に気をとられ、走行の安全性が害されるのを防止するために、表示部１４０へのＴＶ映像の出力を停止し、車両が駐車していないときのＴＶ映像表示を禁止している。
【００３１】
以上のように構成されるナビゲーション装置１は、ディスク挿入口２１、２２に挿入して使用できるディスク型記録媒体３の種類を、表示パネル１４に表示してユーザに知らせる機能を有する。この機能は、次に説明する記録媒体管理動作によって実現される。
【００３２】
図６は、ナビゲーション装置１の記録媒体管理動作を示すフローチャートである。
この記録媒体管理動作において、制御部１００は、パネル開閉スイッチ１３Ａ（図１）の操作の有無を判別し（ステップＳ１１）、所定時間内にパネル開閉スイッチ１３Ａが操作された場合は（ステップＳ１１；Ｙｅｓ）、既に読取ユニット１３１、１３２にセットされているディスク型記録媒体３の有無、及び、その種類を検出する（ステップＳ１２）。続いて、制御部１００は、検出結果に基づいて表示部１４０に表示情報を出力して、読取ユニット１３１、１３２にディスク型記録媒体３がセットされているか否か、及び、セットされているディスク型記録媒体３の種類に係る情報を含む媒体情報表示画面１Ａを液晶パネル３１に表示させる（ステップＳ１３）。
【００３３】
ここで液晶パネル３１により表示される媒体情報表示画面１Ａは、例えば、図７に示すように構成される。図７は、媒体情報表示画面１Ａの構成例を示す図である。
上述したように、ナビゲーション装置１は、上下２段に並ぶディスク挿入口２１、２２（図２）を備え、これらディスク挿入口２１、２２は、それぞれ、収納部１５において上下２段に並ぶ読取ユニット１３１、１３２に対応する挿入口である。
従って、図７に示す媒体情報表示画面１Ａには、上下２段の読取ユニット１３１、１３２を示すイラストが２段で表示され、読取ユニット１３１、１３２毎に、ディスク型記録媒体３がセットされているか否かを示す情報が表示される。このイラストの隣には、読取ユニット１３１、１３２毎に、使用可能なディスク型記録媒体３の種類及び記録フォーマットを示す情報、並びに使用不可能なものを示す情報が列挙される。さらに、使用可能なディスク型記録媒体３の種類及び記録フォーマットを示す情報のうち、既に読取ユニット１３１、１３２にセットされているディスク型記録媒体３に対応する情報については表示が網掛け装飾される。
【００３４】
例えば、図７の上段に表示されたイラストは、収納部１５（図２）において上に位置する読取ユニット１３１を示している。この読取ユニット１３１は、ＣＤ−ＤＡ、ＣＤ−Ｒ、ＣＤ−ＲＷ等のＣＤの規格に準拠したディスク型記録媒体３を使用可能であるため、このような読取装置の一般的名称である「ＣＤドライブ」と表示されている。また、読取ユニット１３１にディスク型記録媒体３がセットされていることを示す「ＤＩＳＣ有り」との表示がなされている。そして、イラストの隣の領域には、読取ユニット１３１において使用可能なディスク型記録媒体３の種類（ＣＤ−ＤＡ、ＣＤ−Ｒ、ＣＤ−ＲＷ）及びそのデータフォーマットが「使用可能ＤＩＳＣ」として列挙される。さらに、読取ユニット１３１において使用不可能なディスク型記録媒体３の種類が「使用不可能ＤＩＳＣ」として列挙されている。
また、読取ユニット１３１にセットされているディスク型記録媒体３がＣＤ−ＤＡであることを示すため、「使用可能ＤＩＳＣ」として表示された「ＣＤ−ＤＡ」の文字には網掛け装飾が施されている。
【００３５】
同様に、図７の下段に表示されたイラストは、収納部１５（図２）において下に位置する読取ユニット１３２を示している。この読取ユニット１３２は、ディスク型記録媒体３として上記ＣＤの規格に準拠したもの及びＤＶＤ規格に準拠したものを使用可能であるため、このような読取装置の一般的名称である「ＤＶＤドライブ」と表示されている。また、読取ユニット１３２にディスク型記録媒体３がセットされていないことを示す「ＤＩＳＣ無し」との表示がなされている。そして、イラストの隣の領域には、読取ユニット１３２において使用可能なディスク型記録媒体３の種類（ＤＶＤ−ＲＯＭ、ＣＤ−ＲＯＭ、ＤＶＤ−ＶＩＤＥＯ、ＤＶＤ−Ｒ、ＤＶＤ−ＡＵＤＩＯ）及びそのデータフォーマットが「使用可能ＤＩＳＣ」として列挙され、さらに、読取ユニット１３１において使用不可能なディスク型記録媒体３の種類が「使用不可能ＤＩＳＣ」として列挙されている。
【００３６】
このように、媒体情報表示画面１Ａによって、ナビゲーション装置１が備える読取ユニット１３１、１３２について、使用可能なディスク型記録媒体３の種類及びデータフォーマット、使用不可能なディスク型記録媒体３の種類、現在ディスク型記録媒体３がセットされているか否かが表示され、さらに、セットされているディスク型記録媒体３がある場合にはその種類が表示される。
【００３７】
図６に戻り、媒体情報表示画面１Ａを液晶パネル３１に表示させた後（ステップＳ１３）、制御部１００は、排出ボタン２２、２４の操作の有無を判別する（ステップＳ１４）。ここで、排出ボタン２２、２４が所定時間以内に操作されなかった場合（ステップＳ１４；Ｎｏ）、制御部１００は、読取ユニット１３１、１３２に対するディスク型記録媒体３の挿入に対応するため、記録媒体挿入動作を開始する（ステップＳ１５）。
この記録媒体挿入動作において、制御部１００は、読取ユニット１３１、１３２に既に挿入されたディスク型記録媒体３の有無を判別する（ステップＳ１６）。このステップＳ１６では、先にステップＳ１２で検出を行った検出結果に基づく判別を行うようにしてもよい。
【００３８】
ここで、読取ユニット１３１、１３２の両方においてディスク型記録媒体３が既にセットされている場合（ステップＳ１６；Ｙｅｓ）、制御部１００は、既にディスク型記録媒体３がセットされているためディスク型記録媒体３を挿入できない旨を、例えば液晶パネル３１にメッセージを表示する等して、ユーザに報知し（ステップＳ１７）、後述するステップＳ２６に移行する。
【００３９】
また、読取ユニット１３１、１３２においてディスク型記録媒体３がセットされていなければ（ステップＳ１６；Ｎｏ）、制御部１００は、ディスク型記録媒体３を挿入可能である旨をユーザに通知する（ステップＳ１８）。この通知は、例えば液晶パネル３１にメッセージを表示し、或いは、液晶パネル３１に表示中の媒体情報表示画面１Ａにおいて一部の表示形態を変更する等して行われる。ここで、読取ユニット１３１、１３２のうち、ディスク型記録媒体３を挿入可能なユニットを特定する情報を通知するようにしてもよい。この場合、読取ユニット１３１、１３２のいずれか一方にディスク型記録媒体３がセットされていて、他方においてのみディスク型記録媒体３を挿入可能である場合に、その旨をユーザに知らせることができる。
【００４０】
ここで、通知に基づいてユーザがディスク型記録媒体３を読取ユニット１３１、１３２に挿入すると（ステップＳ１９）、制御部１００は、挿入されたディスク型記録媒体３の種類を判別中である旨を示す判別中画面を液晶パネル３１に表示させ（ステップＳ２０）、挿入されたディスク型記録媒体３の種類を判別する（ステップＳ２１）。
そして、制御部１００は、挿入されたディスク型記録媒体３が使用可能な種類のものであるか否かを判別し（ステップＳ２２）、使用可能な種類の記録媒体でない場合には、挿入されたディスク型記録媒体３の種類を判別不可能である旨を、例えば液晶パネル３１にメッセージを表示することによって報知し（ステップＳ２３）、後述するステップＳ２６に移行する。
【００４１】
一方、ステップＳ１９で挿入されたディスク型記録媒体３が使用可能な種類のものであった場合（ステップＳ２２；Ｙｅｓ）、制御部１００は、ディスク型記録媒体３に記録されたデータを読取ユニット１３１、１３２によって読み取らせるとともに、読み取ったデータを再生するための処理を実行し（ステップＳ２４）、その後、読み取ったデータを再生する（ステップＳ２５）。再生終了後、制御部１００はステップＳ２６に移行する。
【００４２】
ステップＳ２６において、制御部１００は、ナビゲーション装置１としての通常動作、すなわち、ナビゲーション機能を実行したり、メニュー画面を表示する等の通常の動作に移行して、本処理を終了する。
【００４３】
また、ステップＳ１３で媒体情報表示画面１Ａが表示されてから所定時間内に、排出ボタン２２、２４のいずれかが操作された場合（ステップＳ１４；Ｙｅｓ）、制御部１００は、操作された排出ボタンに対応する読取ユニット１３１、１３２にセットされているディスク型記録媒体３を排出する記録媒体排出動作を開始する（ステップＳ２７）。
この記録媒体排出動作において、制御部１００は、操作された側の排出ボタン２２、２４に対応する読取ユニット１３１、１３２において、ディスク型記録媒体３が既にセットされているか否かを判別する（ステップＳ２８）。ここで、ディスク型記録媒体３がセットされていなければ（ステップＳ２８；Ｎｏ）、制御部１００は、ディスク型記録媒体３がセットされていないため排出できない旨を、例えば液晶パネル３１にメッセージを表示する等して、ユーザに報知し（ステップＳ２９）、ステップＳ２６に移行する。
一方、読取ユニット１３１、１３２にディスク型記録媒体３がセットされていた場合（ステップＳ２８；Ｙｅｓ）、制御部１００は、ディスク型記録媒体３を排出中である旨を示す排出中画面を液晶パネル３１に表示させ（ステップＳ３０）、読取ユニット１３１、１３２によってディスク型記録媒体３を排出する動作を実行させ（ステップＳ３１）、ステップＳ２６に移行する。
【００４４】
また、ステップＳ１１で所定時間内にパネル開閉スイッチ１３Ａの操作が行われなかった場合（ステップＳ１１；Ｎｏ）、制御部１００は、媒体情報表示画面１Ａの表示が指示されたか否かを判別する（ステップＳ３２）。この指示は、操作スイッチ１３におけるスイッチ操作、或いは、表示パネル部４１の表面に触れるタッチ操作により行われる。
そして、所定時間内に指示が無かった場合（ステップＳ３２；Ｎｏ）、制御部１００はステップＳ１１に戻る。また、所定時間内に媒体情報表示画面１Ａの表示が指示された場合（ステップＳ３２；Ｙｅｓ）、制御部１００は、読取ユニット１３１、１３２にセットされているディスク型記録媒体３の有無及び種類を検出し（ステップＳ３３）、検出結果に基づいて媒体情報表示画面１Ａを液晶パネル３１に表示させ（ステップＳ３４）、ステップＳ２６に移行する。
【００４５】
このように、記録媒体管理動作においては、パネル開閉スイッチ１３Ａにより操作パネル１１を開くよう指示がなされた場合に、表示パネル１４に媒体情報表示画面１Ａが表示される。また、排出ボタン２２、２４が操作された場合、読取ユニット１３１、１３２にディスク型記録媒体３が既にセットされていればディスク型記録媒体３を排出し、セットされていなければ、その旨が通知される。さらに、読取ユニット１３１、１３２にディスク型記録媒体３が挿入された場合、その種類が判別され、読取ユニット１３１、１３２において使用不可能な種類であった場合はその旨が報知される。
【００４６】
以上のように、第１の実施形態に係るナビゲーション装置１によれば、複数種類のディスク型記録媒体３からデータを読み取り可能に構成された読取ユニット１３１、１３２を備え、これら読取ユニット１３１、１３２に対応するディスク挿入口２１、２３を覆うように開閉可能に配設された操作パネル１１に表示パネル１４を設け、パネル開閉スイッチ１３Ａの操作によって操作パネル１１を開くよう指示がなされた場合に、読取ユニット１３１、１３２が対応するディスク型記録媒体３の種類やデータの記録フォーマットに関する情報を表示する媒体情報表示画面１Ａが表示パネル１４に表示される。これにより、ナビゲーション装置１において使用可能なディスク型記録媒体３の種類を、ユーザが容易に知ることができる。特に、媒体情報表示画面１Ａは、車両の経路案内を行うための画面等を表示する表示パネル１４によって、パネル開閉スイッチ１３Ａが操作された場合に切り換え表示されるので、媒体情報表示画面１Ａを表示するための専用の画面等を設ける必要がなく、ナビゲーション装置１の大型化を招くおそれがないので、車両に搭載される装置として非常に好ましい。さらに、ナビゲーション装置１の主たる機能である経路案内用に配設された、視認性の高い大画面の表示パネル１４を利用することで、媒体情報表示画面１Ａは視認性に優れた状態で表示され、ユーザが内容を把握しやすいという利点がある。
【００４７】
また、媒体情報表示画面１Ａには、読取ユニット１３１、１３２において使用可能なディスク型記録媒体３の種類及びデータの記録フォーマットに係る情報の他、読取ユニット１３１、１３２において使用できないディスク型記録媒体３の種類を示す情報、読取ユニット１３１、１３２においてディスク型記録媒体３がセットされているか否かを示す情報、読取ユニット１３１、１３２にセットされているディスク型記録媒体３の種類を示す情報等の各種情報が表示される。これにより、ユーザは、ナビゲーション装置１においてディスク型記録媒体３を使用する際に必要な情報の殆ど全てを、容易に知ることができる。さらに、媒体情報表示画面１Ａには、ナビゲーション装置１が備える複数の読取ユニット１３１、１３２毎に、対応するディスク型記録媒体３の種類等に係る情報が表示されるので、複数台の読取ユニットと複数種類の記録媒体に関する複雑かつ多量の情報を、ユーザが容易に把握できるという利点がある。
【００４８】
また、ナビゲーション装置１においては、読取ユニット１３１、１３２にディスク型記録媒体３が挿入された際に、挿入されたディスク型記録媒体３の種類を判別する動作が行われ、その種類が読取ユニット１３１、１３２において使用できない種類であった場合には、その旨がユーザに報知される。これにより、ユーザが誤って使用できない種類のディスク型記録媒体３をセットしてしまったとしても、すぐに対応することができる。
【００４９】
なお、上記第１の実施形態は、本発明の一実施態様を示すものであり、本発明の範囲内で任意に変形及び応用可能であることは勿論である。例えば、第１の実施形態において、ナビゲーション装置１は、ディスク型記録媒体を読み取る読取ユニット１３１、１３２を備えるものとしたが、これに限らず、カード型記録媒体からデータを読み取る装置を備える構成としても、本発明を適用することが可能である。従って、上記実施形態において、ディスク型記録媒体３として、ＣＤやＤＶＤ等の光学的記録媒体を列挙したが、これに限らず、半導体記憶素子を用いた各種のカード型記録媒体、ハードディスク装置等の磁気的記録媒体、或いはその他の可搬型記録媒体を用いた場合についても、本発明を適用可能である。また、読取ユニット１３１、１３２は、ディスク挿入口２１、２２からディスク型記録媒体を挿入及び排出可能な、いわゆるスロットイン型の装置としたが、ディスク型記録媒体を載せるトレイを用いたディスクの挿入・排出方式を採用してもよい。また、上記実施形態において、ナビゲーション装置１は、開閉可能な表示パネル１４を有する装置本体１０に各部を収容した構成として説明したが、本発明はこれに限定されるものではなく、例えば、ディスク型記録媒体３を読み取る読取装置を、表示パネルとは別体として構成してもよい。以下、この場合について第２の実施形態として説明する。
【００５０】
［第２の実施形態］
図８は、第２の実施形態に係るナビゲーション装置４０の構成を示す図である。また、図９は、ナビゲーション装置４０の機能的構成を示す図である。この図９において、上記第１の実施形態におけるナビゲーション装置１と同様に構成される部分には同符号を付して説明を省略する。
【００５１】
図８に示すように、ナビゲーション装置４０は、各々別体として構成される表示パネル部４１と、ナビゲーション本体４３と、オーディオ部４５とを備える。
表示パネル部４１は、各種の画面を表示する液晶パネル３１を備え、例えば車両のダッシュボード上に固定される。また、ナビゲーション本体４３は、ナビゲーション装置４０の機能（例えば、経路案内機能等）を実現するための機能部を内蔵し、車両のダッシュボード等に設置される。また、オーディオ部４５は、車両内で音楽を再生する目的で、音楽データが記録されたディスク型記録媒体３からデータを読み取るものであり、車両のダッシュボード等において、ナビゲーション本体４３と並べて、或いはナビゲーション本体４３から離隔して設置される。
【００５２】
ナビゲーション本体４３は、図９に示すように、制御部１００、主記憶部１２０、記録媒体読取部１３０、音出力部１３５、表示部１４０、位置検出部１５０、ＦＭ多重受信処理部１６０、ビーコン処理部１７０、ＴＶ受信処理部１８０、操作部１９０及び車両情報取得部２００の各部を備える。
また、ナビゲーション本体４３は、ディスク型記録媒体３からデータを読み取る読取ユニット１３１を内蔵する。図８に示すように、ナビゲーション本体４３の前面には、読取ユニット１３１にディスク型記録媒体３を挿入及び排出するための開口部であるディスク挿入口４４と、ディスク挿入口４４からディスク型記録媒体３を排出させる排出ボタン４４Ａとを前面に備える。
【００５３】
また、オーディオ部４５は、ディスク型記録媒体３からデータを読み取る読取ユニット１３２，及び、ディスク型記録媒体３以外の記録媒体（例えば、ディスク型記録媒体を略箱形のケースに収納してカートリッジ形態としたものや、半導体記憶素子を用いたカード型記録媒体等）からデータを読み取る読取ユニット１３３を内蔵する。図８に示すように、オーディオ部４５の前面には、読取ユニット１３２にディスク型記録媒体３を挿入及び排出するための開口部であるディスク挿入口４６と、ディスク挿入口４６からディスク型記録媒体３を排出させる排出ボタン４６Ａとを備える。さらに、ディスク挿入口４６の下方には、読取ユニット１３３において記録媒体を挿入及び排出するための開口部である挿入口４７と、挿入口４７から記録媒体を排出させる排出ボタン４７Ａとを前面に備える。
【００５４】
このように構成されるナビゲーション装置４０は、上記第１の実施形態で説明した記録媒体管理動作（図６）を実行する。この記録媒体管理動作により、ナビゲーション本体４３が備える排出ボタン４４Ａ、またはオーディオ部４５が備える排出ボタン４６Ａの操作に従って、表示パネル部４１において、媒体情報表示画面４０Ａが表示される。
【００５５】
図８に例示する媒体情報表示画面４０Ａには、オーディオ部４５が備える読取ユニット１３２が、「ＡＵＤＩＯ：ＣＤドライブ」と表記されたイラストにより表現され、ナビゲーション本体４３が備える読取ユニット１３１が「ＮＡＶＩ：ＤＶＤドライブ」と表記されたイラストにより表現される。これにより、ユーザは、媒体情報表示画面４０Ａに表示された２つのイラストが、オーディオ部４５とナビゲーション本体４３が備える読取ユニットのどちらに対応するかを容易に把握できる。
【００５６】
そして、媒体情報表示画面４０Ａにおいては、読取ユニット１３１、１３２において使用可能なディスク型記録媒体３の種類、使用不可能なディスク型記録媒体３の種類、現在読取ユニット１３１、１３２にディスク型記録媒体３がセットされているか否かを示す情報、及び、現在セットされているディスク型記録媒体３の種類を示す情報が配置される。
【００５７】
このように、本第２の実施形態によれば、表示パネル部４１、ナビゲーション本体４３及びオーディオ部４５を別体として備えるナビゲーション装置４０において、読取ユニット１３１、１３２によるディスク型記録媒体３の挿入または排出の指示、すなわち排出ボタン４４Ａ、４６Ａの操作が行われると、この操作に応じて、読取ユニット１３１、１３２において使用可能なディスク型記録媒体３の種類及びデータの記録フォーマットに関する情報を表示する媒体情報表示画面４０Ａが、表示パネル部４１によって表示される。これにより、ナビゲーション装置４０において使用可能なディスク型記録媒体３の種類を、ユーザが容易に知ることができる。
また、媒体情報表示画面４０Ａは、通常動作時において車両の経路案内を行うための画面等を表示する表示パネル部４１において切り換え表示されるので、媒体情報表示画面４０Ａを表示するための専用の画面を設ける必要がない。このため、媒体情報表示画面４０Ａを表示するにあたって、新たなスペースを確保する必要がなく、また、ディスク挿入口４６自体に表示画面を設ける必要もない。さらに、ユーザが見やすい位置に配設された表示パネル部４１を利用することにより、媒体情報表示画面４０Ａの視認性は良好である。
【００５８】
また、媒体情報表示画面４０Ａには、読取ユニット１３１、１３２において使用可能なディスク型記録媒体３の種類及びデータの記録フォーマットに係る情報の他、読取ユニット１３１、１３２において使用できないディスク型記録媒体３の種類を示す情報、読取ユニット１３１、１３２においてディスク型記録媒体３がセットされているか否かを示す情報、読取ユニット１３１、１３２にセットされているディスク型記録媒体３の種類を示す情報等の各種情報が表示されるので、ユーザは、ディスク型記録媒体３を使用する際に必要な情報の殆ど全てを容易に知ることができる。さらに、媒体情報表示画面４０Ａには、ナビゲーション装置４０が備える複数の読取ユニット１３１、１３２毎に、対応するディスク型記録媒体３の種類等に係る情報が表示されるので、複数台の読取ユニットと複数種類の記録媒体に関する複雑かつ多量の情報を、ユーザが容易に把握できるという利点がある。また、読取ユニット１３１、１３２にディスク型記録媒体３が挿入された際に、挿入されたディスク型記録媒体３の種類を判別する動作が行われ、その種類が読取ユニット１３１、１３２において使用できない種類であった場合には、その旨がユーザに報知される。これにより、ユーザが誤って使用できない種類のディスク型記録媒体３をセットしてしまったとしても、すぐに対応することができる。
【００５９】
また、媒体情報表示画面４０Ａにおいて、オーディオ部４５が備える読取ユニット１３３において使用可能な記録媒体の種類、使用不可能な記録媒体の種類、現在読取ユニット１３３に記録媒体がセットされているか否か等を示す情報を表示し、さらに、現在セットされている記録媒体の種類等を示す情報を表示するようにしてもよい。例えば、媒体情報表示画面４０Ａを上下に３分割して、読取ユニット１３１、１３２、１３３に関する情報を上下に並べて表示すればよい。この場合、ユーザは、ディスク型記録媒体３以外の記録媒体（上記したカートリッジ形態の記録媒体やカード型記録媒体等）を使用する場合にも、ナビゲーション装置４０において使用可能か否か等を容易に把握できるという効果が得られる。
【００６０】
なお、上記第１及び第２の実施形態においては、車両に搭載されるナビゲーション装置に本発明を適用した例を挙げて説明したが、これに限らず、例えば、ＤＶＤ等のディスク型記録媒体に記録された映像及び音声をＴＶ受像機で視聴する場合においても、本発明を適用可能である。以下、この場合について第３の実施形態として説明する。
【００６１】
［第３の実施形態］
図１０は、第３の実施形態に係るＴＶシステム５０の構成を示す図である。また、図１１は、ＴＶシステム５０の機能的構成を示すブロック図である。
図１０に示すＴＶシステム５０は、ＴＶ本体５１と読取装置５６とによって構成される。読取装置５６は、映像及び音声のデータが記録されたディスク型記録媒体３からデータを読み取って再生し、映像信号及び音声信号をＴＶ本体５１に送る装置であり、ＴＶ本体５１は、読取装置５６から送られる信号に基づいて映像及び音声を出力するＴＶ受像機である。
【００６２】
図１１に示すように、ＴＶ本体５１は、ＣＲＴ（Cathode Ray Tube）やＬＣＤ（Liquid Crystal Display）等のディスプレイを備えた表示画面５２と、音声を出力するスピーカ５３と、ＴＶ本体５１に外部接続されるアンテナにより受信された放送信号に基づいて、映像・音声信号を生成して映像・音声処理部５５に出力するチューナ部５４と、読取装置５６又はチューナ部５４から入力される映像・音声信号に基づいて、表示画面５２に映像を表示させ、スピーカ５３から音声を出力させる映像・音声処理部５５とを備える。
読取装置５６は、ディスク型記録媒体３からデータを読み取る読取ユニット５８と、読取ユニット５８を制御するとともに、読取ユニット５８により読み取ったデータに基づいて映像・音声信号を生成してＴＶ本体５１へ出力する制御部５９とを備える。
また、図１０に示すように、読取装置５６の外装には、内蔵する読取ユニット５８についてディスク型記録媒体３を挿入及び排出するためのディスク挿入口５７が設けられ、ディスク挿入口５７の近傍に、このディスク挿入口５７からディスク型記録媒体３を排出するよう指示するための排出ボタン５７Ａが配設される。
【００６３】
図１２は、ＴＶシステム５０の記録媒体管理動作を示すフローチャートである。
この記録媒体管理動作において、制御部５９は、排出ボタン５７Ａ（図１０）が操作されるまで待機し（ステップＳ４１）、排出ボタン５７Ａが操作されると（ステップＳ４１；Ｙｅｓ）、読取ユニット５８にセットされているディスク型記録媒体３の有無、及び、その種類を検出する（ステップＳ４２）。続いて、制御部５９は、検出結果に基づいて媒体情報表示画面５０Ａを表示するための映像信号を生成して、ＴＶ本体５１に出力し、表示画面５２によって媒体情報表示画面を表示させる（ステップＳ４３）。
【００６４】
ここで表示画面５２に表示される媒体情報表示画面５０Ａは、例えば、図１０に示すように構成される。図１０において、媒体情報表示画面５０Ａには、読取ユニット５８を示すイラストが、読取ユニット５８にディスク型記録媒体３がセットされているか否かを示す情報とともに配置される。このイラストの隣には、読取ユニット５８において使用可能なディスク型記録媒体３の種類及び記録フォーマット、並びに使用不可能なものを示す情報が列挙される。さらに、使用可能なディスク型記録媒体３の種類及び記録フォーマットを示す情報のうち、既に読取ユニット５８にセットされているディスク型記録媒体３に対応する情報については表示が網掛け装飾される。
【００６５】
続いて、図１２の記録媒体管理動作において、制御部５９は、読取ユニット５８に既に挿入されたディスク型記録媒体３の有無を判別する（ステップＳ４６）。このステップＳ４６では、先にステップＳ４２で検出を行った検出結果に基づく判別を行うようにしてもよい。そして、読取ユニット５８にディスク型記録媒体３が既にセットされている場合（ステップＳ４４；Ｙｅｓ）、制御部５９は、ディスク型記録媒体３を排出中である旨を示す排出中画面を表示するための映像信号を生成してＴＶ本体５１に出力し（ステップＳ４５）、読取ユニット５８からディスク型記録媒体３を排出する動作を実行させ（ステップＳ４６）、後述するステップＳ５６に移行する。
【００６６】
また、読取ユニット５８にディスク型記録媒体３がセットされていなければ（ステップＳ４４；Ｎｏ）、制御部５９は、ディスク型記録媒体３がセットされていない旨を通知し（ステップＳ４７）、さらに、ディスク型記録媒体３を挿入可能である旨をユーザに通知する（ステップＳ４８）。これら通知は、例えば表示画面５２にメッセージを表示させ、或いは、表示画面５２に表示中の媒体情報表示画面５０Ａにおいて一部の表示形態を変更する等して行われる。
【００６７】
ここで、通知に基づいてユーザがディスク型記録媒体３をディスク挿入口５７から挿入すると（ステップＳ４９）、制御部５９は、挿入されたディスク型記録媒体３の種類を判別中である旨を示す判別中画面を液晶パネル３１に表示させ（ステップＳ５０）、挿入されたディスク型記録媒体３の種類を判別する（ステップＳ５１）。
そして、制御部５９は、挿入されたディスク型記録媒体３が使用可能な種類のものであるか否かを判別し（ステップＳ５２）、使用可能な種類の記録媒体でない場合には、挿入されたディスク型記録媒体３の種類を判別不可能である旨を、例えば表示画面５２にメッセージを表示させることによって報知し（ステップＳ５３）、後述するステップＳ５６に移行する。
【００６８】
一方、ステップＳ４９で挿入されたディスク型記録媒体３が読取ユニット５８において使用可能な種類のものであった場合（ステップＳ５２；Ｙｅｓ）、制御部５９は、ディスク型記録媒体３に記録されたデータを読取ユニット５８によって読み取らせるとともに、読み取ったデータを再生するための処理を実行し（ステップＳ５４）、その後、読み取ったデータを再生する（ステップＳ５５）。再生終了後、制御部５９はステップＳ５６に移行する。
【００６９】
ステップＳ５６において、制御部５９は、メニュー画面を表示する等の通常の動作に移行して、本処理を終了する。
【００７０】
このように、ディスク型記録媒体３に記録された映像及び音声をＴＶ本体５１で視聴可能に構成されたＴＶシステム５０において、記録媒体管理動作を実行することにより、読取装置５６が備える排出ボタン５７Ａの操作に応じて、読取ユニット５８において使用可能なディスク型記録媒体３の種類及びデータの記録フォーマットに関する情報を表示する媒体情報表示画面５０Ａが、ＴＶ本体５１に表示される。これにより、ユーザは、使用可能なディスク型記録媒体３の種類を容易に知ることができる。この媒体情報表示画面５０Ａは、ＴＶ本体５１の表示画面５２によって表示されるため、多数の情報を極めて視認性の高い方法で表示することができる。
また、媒体情報表示画面５０Ａには、読取ユニット５８において使用可能なディスク型記録媒体３の種類及びデータの記録フォーマットに係る情報の他、読取ユニット５８において使用できないディスク型記録媒体３の種類を示す情報、読取ユニット５８においてディスク型記録媒体３がセットされているか否かを示す情報、読取ユニット５８にセットされているディスク型記録媒体３の種類を示す情報等の各種情報が表示されるので、ユーザは、ディスク型記録媒体３を使用する際に必要な情報の殆ど全てを、容易に知ることができる。また、読取ユニット５８において使用できない種類のディスク型記録媒体３が挿入された場合には、その旨がユーザに報知されるので、ユーザが誤って使用できない種類のディスク型記録媒体３をセットしてしまったとしても、すぐに対応することができる。
そして、媒体情報表示画面５０Ａは、表示画面５２によって切り換え表示されるため、上記の記録媒体管理動作を実行する読取装置５６自体が表示画面を備える必要がない。このため、読取装置５６を小型化することが可能である上、既存の機器において容易に実現可能である。
【００７１】
なお、上記第３の実施形態において、ＴＶシステム５０を、ＴＶ本体５１と読取装置５６とが別体として構成されるものとして説明したが、本発明はこれに限定されるものではなく、例えば、ＴＶ本体５１と読取装置５６とが一体なった構成としてもよい。また、ＴＶシステム５０において、ディスク型記録媒体３以外の記録媒体からデータを読み取る別の読取ユニットを備える構成としてもよい。
【００７２】
さらに、本発明は、上記第１及び第２の実施形態で説明した車載型のナビゲーション装置、及び、上記第３の実施形態で説明したＴＶシステムに限定されず、その他の装置、例えば、ディスク型記録媒体３を再生可能な読取ユニットを備えたパーソナルコンピュータにおいても適用可能である。この場合のパーソナルコンピュータとは、ノード型あるいはデスクトップ型を問わない。また、パーソナルコンピュータにおいて用いられるディスク型記録媒体３には、映像及び音声のデータの他、各種アプリケーションプログラムや、これらアプリケーションプログラムにより実行されるデータ等が記録される。
この場合、パーソナルコンピュータが有する読取ユニットにおいて、ディスク型記録媒体３の挿入または排出が指示された場合に、このパーソナルコンピュータが備える表示装置（液晶ディスプレイやＣＲＴモニタ）に、読取ユニットにおいて使用可能なディスク型記録媒体３の種類及びデータの記録フォーマット、使用不可能なディスク型記録媒体３の種類及び記録フォーマット、既にセットされているディスク型記録媒体３の有無及びその種類等、各種の情報が表示される。これにより、複数種類のディスク型記録媒体３に対応した読取ユニットを備えるパーソナルコンピュータにおいても、ユーザは、使用可能なディスク型記録媒体３の種類等の情報を容易に知ることができる。また、これらの情報が表示されるパーソナルコンピュータの表示装置は、画面が大きく、かつ、極めて視認性の良い場所に配設されるので、ディスク型記録媒体３に係る多数の情報を極めて視認性の高い方法で表示することができる。さらに、パーソナルコンピュータにおいて、上記カートリッジ型の記録媒体や半導体記憶素子を用いた可搬型の記録媒体を用いる場合にも、本発明を適用すれば、記録媒体の種類に係る重要な情報を、ユーザに判りやすく知らせることが可能である。
このほか、本発明は、複数種類の可搬型の記録媒体からデータを読み取る読取ユニットと表示装置とを備えた装置であれば適用可能であり、上記第１〜第３の実施形態に記載したような効果を得ることができる。
【図面の簡単な説明】
【００７３】
【図１】本発明の第１の実施形態に係るナビゲーション装置の構成を示す外観斜視図である。
【図２】操作パネルが開状態のときを示す斜視図である。
【図３】操作パネルが開閉する機構を示す図である。
【図４】表示パネルの構成を示す分解斜視図である。
【図５】図１のナビゲーション装置の機能的構成を示すブロック図である。
【図６】図１のナビゲーション装置の記録媒体管理動作を示すフローチャートである。
【図７】上記記録媒体管理動作において表示パネルに表示される媒体情報表示画面の構成例を示す図である。
【図８】本発明の第２の実施形態に係るナビゲーション装置の構成を示す外観図である。
【図９】上記ナビゲーション装置の機能的構成を示すブロック図である。
【図１０】本発明の第３の実施形態に係るＴＶシステムの構成を示す外観図である。
【図１１】図１０のＴＶシステムの機能的構成を示すブロック図である。
【図１２】図１０のＴＶシステムの記録媒体管理動作を示すフローチャートである。
【符号の説明】
【００７４】
１、４０  ナビゲーション装置（記録媒体読取装置）
１Ａ、４０Ａ、５０Ａ  媒体情報表示画面（情報表示画面）
３  ディスク型記録媒体（記録媒体）
１１  操作パネル（パネル）
１３Ａ  パネル開閉スイッチ（指示手段）
１４  表示パネル（表示手段）
２１、２３  ディスク挿入口（取込口）
２２、２４  排出ボタン
４１  表示パネル部（表示手段）
４３  ナビゲーション本体
４５  オーディオ部
４４、４６、５７  ディスク挿入口
４４Ａ、４６Ａ、５７Ａ  排出ボタン
５０  ＴＶシステム（記録媒体読取装置）
５１  ＴＶ本体
５２  表示画面（表示手段）
５６  読取装置
５９  制御部（制御手段）
５８  読取ユニット
１００  制御部（制御手段）
１３１、１３２  読取ユニット
【図１】
2006252592.tif 000003
【図２】
2006252592.tif 000004
【図３】
2006252592.tif 000005
【図４】
2006252592.tif 000006
【図５】
2006252592.tif 000007
【図６】
2006252592.tif 000008
【図７】
2006252592.tif 000009
【図８】
2006252592.tif 000010
【図９】
2006252592.tif 000011
【図１０】
2006252592.tif 000012
【図１１】
2006252592.tif 000013
【図１２】
2006252592.tif 000014